(57)【要約】【課題】  信頼性が改善されたタッチスクリーン一体型表示装置を提供する。【解決手段】  タッチスクリーン一体型表示装置は、基板上に設けられた画素アレイ層、画素アレイ層を囲む封止層、封止層上に設けられたタッチ電極層、タッチ電極層上に設けられた平坦化層、平坦化層上に設けられて分子吸着物質を含有する絶縁層およびフィルム接着部材を介して前記絶縁層に接着された機能性フィルムを含む。【選択図】  図１
2019082685.tif 000002
【特許請求の範囲】
【請求項１】
基板上に設けられた画素アレイ層と、
前記画素アレイ層を囲む封止層と、
前記封止層上に設けられたタッチ電極層と、
前記タッチ電極層上に設けられた絶縁層を含み、
前記絶縁層が、マイクロレンズパターンを有する散乱面を含む、タッチスクリーン一体型表示装置。
【請求項２】
前記タッチ電極層と前記絶縁層の間に配置され、前記タッチ電極層上に配置された平坦化層をさらに含む、請求項１に記載のタッチスクリーン一体型表示装置。
【請求項３】
フィルム接着部材によって前記絶縁層上に付着された機能性フィルムをさらに含む、請求項１または請求項２に記載のタッチスクリーン一体型表示装置。
【請求項４】
前記絶縁層が分子吸着物質を含む、請求項１または請求項２に記載のタッチスクリーン一体型表示装置。
【請求項５】
前記タッチ電極層が、
前記封止層上に配置された複数のブリッジ電極、
前記複数のブリッジ電極上に配置されたタッチ絶縁層、
前記タッチ絶縁層上に配置された複数のタッチ電極を含み、
前記タッチ電極層は、前記タッチ絶縁層と前記封止層の間に配置されたタッチバッファ層をさらに含む、請求項１または請求項２に記載のタッチスクリーン一体型表示装置。
【請求項６】
前記複数のタッチ電極と前記複数のブリッジ電極それぞれが、メッシュパターンを含む、請求項５に記載のタッチスクリーン一体型表示装置。
【請求項７】
前記絶縁層が、分子吸着物質を含み、
前記分子吸着物質は水の分子を吸収する、または、フッ素ベースの化合物を含む、請求項５に記載のタッチスクリーン一体型表示装置。
【請求項８】
前記絶縁層が、分子吸着物質を含み、
前記分子吸着物質は、前記平坦化層のアウトガスヒュームを吸着する、請求項２に記載のタッチスクリーン一体型表示装置。
【請求項９】
前記絶縁層が、分子吸着物質を含有した有機物質を含み、
前記分子吸着物質は、ナフィオン（Ｎａｆｉｏｎ）分子体を含む、請求項１または請求項２に記載のタッチスクリーン一体型表示装置。
【請求項１０】
前記絶縁層が、分子吸着物質を含有した有機物質を含み、
前記絶縁層の有機物質は、アクリレート（acrylate）系物質またはシロキサン（siloxane）系物質を含む、請求項１または請求項２に記載のタッチスクリーン一体型表示装置。
【請求項１１】
前記フィルム接着部材が減圧接着剤、光学透明接着剤、または光学透明接着樹脂を含む、請求項３に記載のタッチスクリーン一体型表示装置。
【請求項１２】
前記平坦化層が、ポリアクリレート樹脂（ｐｏｌｙａｃｒｙｌａｔｅｓ  ｒｅｓｉｎ）、エポキシ樹脂（ｅｐｏｘｙ  ｒｅｓｉｎ）、フェノール樹脂（ｐｈｅｎｏｌｉｃ  ｒｅｓｉｎ）、ポリアミド樹脂（ｐｏｌｙａｍｉｄｅ  ｒｅｓｉｎ）、ポリイミド樹脂（ｐｏｌｙｉｍｉｄｅ  ｒｅｓｉｎ）およびベンゾシクロブテン樹脂（ｂｅｎｚｏｃｙｃｌｏｂｕｔｅｎｅ  ｒｅｓｉｎ）の一つを含む、請求項２に記載のタッチスクリーン一体型表示装置。
【請求項１３】
前記機能性フィルムが偏光フィルムを含む、請求項３に記載のタッチスクリーン一体型表示装置。
【請求項１４】
前記散乱面が前記絶縁層と前記フィルム接着部材の間の境界部に設けられた非平坦面である、請求項３に記載のタッチスクリーン一体型表示装置。
【請求項１５】
前記フィルム接着部材が散乱面に接着した、請求項３に記載のタッチスクリーン一体型表示装置。
【請求項１６】
前記絶縁層が、
分子吸着物質を含有するベース層と、
前記マイクロレンズパターンを有する、前記散乱面とを含み、
前記フィルム接着部材は、前記散乱面の前記マイクロレンズパターンに接着した、請求項３に記載のタッチスクリーン一体型表示装置。
【請求項１７】
前記マイクロレンズパターンは、複数の凹部と、少なくとも一つの隔壁を含み、
前記少なくとも一つの隔壁は、前記複数の凹部のうち、隣接する凹部の間に配置された、請求項１または請求項２に記載のタッチスクリーン一体型表示装置。
【請求項１８】
前記絶縁層に含有された前記分子吸着物質が、前記絶縁層の全体積の５％以下である、請求項４に記載のタッチスクリーン一体型表示装置。
【発明の詳細な説明】
【技術分野】
【０００１】
本出願は、タッチスクリーン一体型表示装置に関する。
【背景技術】
【０００２】
タッチスクリーンは、電子機器（または情報機器）の表示画面に設置され、使用者が表示画面を見ながら、指やペンなどで画面をタッチして情報を入力する入力装置の一種である。
【０００３】
最近の電子機器は、使用者のタッチを認識することができるタッチスクリーンを含むタッチスクリーン一体型表示装置として形成されている。特に、最近の有機発光表示パネルを用いた表示装置は、別個のタッチスクリーンを有機発光表示パネルに付着せずに、有機発光表示パネルの封止層上にタッチ電極とタッチ配線を有するタッチ電極層を形成したインセル方式のタッチスクリーンを含んでいる。このようなインセル方式のタッチスクリーン一体型表示装置は、タッチ電極層の前面を平坦化する平坦化層上に付着した機能性フィルム、例えば、偏光フィルムを含んでいる。
【０００４】
しかし、インセル方式のタッチスクリーン一体型表示装置は、機能性フィルムをタッチ電極層上に付着させる接着層の接着力が水分によって低下し、機能性フィルムの高い熱膨張係数による機能性フィルムの反りによって接着層にクラックが発生することにより、信頼性が低下するという問題点がある。
【０００５】
以上、説明した背景技術の内容は、本出願の発明者が本出願の導出のために保有していたか、本出願の導出過程で習得した技術情報であって、必ずしも本出願の出願前に一般公衆に公開された公知技術とすることはできない。
【先行技術文献】
【特許文献】
【０００６】
【特許文献１】特開２０１８−１０７１２３
【発明の概要】
【発明が解決しようとする課題】
【０００７】
本発明は、特許請求の範囲に記載されており、タッチスクリーン一体型表示装置を提供して従来技術の上記問題点を解消することを目的とする。
【０００８】
本出願は、信頼性が改善されたタッチスクリーン一体型表示装置を提供することを技術的課題とする。
【課題を解決するための手段】
【０００９】
本出願によるタッチスクリーン一体型表示装置は、基板上に設けられた画素アレイ層、画素アレイ層を囲む封止層、封止層上に設けられたタッチ電極層、タッチ電極層上に設けられた平坦化層、平坦化層上に設けられ分子吸着物質を含有する絶縁層およびフィルム接着部材を媒介にして前記絶縁層に接着された機能性フィルムを含むことができる。
【発明の効果】
【００１０】
本出願によるタッチスクリーン一体型表示装置は、水分とアウトガスヒュームによるフィルム接着部材の接着力の低下を防止し、接着力の低下によってフィルム接着部材に発生するクラック現象を防止することで、耐透湿性および高い信頼性を有することができる。
【００１１】
上述した本出願の効果に加えて、本出願の他の特徴および利点は、以下の記述や、その記述および説明から、本出願が属する技術分野で通常の知識を有する者に明確に理解され得るだろう。
【図面の簡単な説明】
【００１２】
【図１】本出願の一例によるタッチスクリーン一体型表示装置を概略的に示す断面図である。
【図２】図１に示すＡ部分の拡大図である。
【図３】本出願の一例によるタッチスクリーン一体型表示装置を概略的に示す断面図である。
【図４】図１に示すＢ部分の拡大図である。
【図５】図４に示す絶縁層の平面図である。
【図６】図５に示す線Ｉ−Ｉ’の断面図である。
【図７】比較例と本出願の一例による単一有機膜のアウトガスヒューム特性を測定したグラフである。
【発明を実施するための形態】
【００１３】
本出願の利点および特徴、そしてそれらを達成する方法は、添付の図と共に詳細に後述する一例を参照すると明確になるだろう。しかし、本出願は、以下で開示する一例に限定されるものではなく、互いに異なる多様な形態で具現されるものであり、単に本出願の一例は、本出願の開示を完全にし、本出願が属する技術分野で通常の知識を有する者に発明の範疇を完全に知らせるために提供されるものであり、本出願は、請求項の範疇によってのみ定義される。
【００１４】
本出願の一例を説明するために図で開示した形状、大きさ、比率、角度、数などは例示的なものなので、本出願は、図に示した事項に限定されるものではない。明細書全体にわたって同一参照符号は同一の構成要素を指すことができる。また、本出願を説明するにおいて、関連する公知技術に対する詳細な説明が本出願の要旨を不必要に曖昧にすると判断される場合、その詳細な説明は省略する。
【００１５】
本明細書で言及した「含む」、「有する」、「からなる」などが使用されている場合は、「〜だけ」が使用されていない限り、他の部分が追加され得る。構成要素を単数で表現する場合に、特に明示的な記載事項がない限り、複数が含まれる場合を含む。
【００１６】
構成要素を解釈するに当たり、別途の明示的な記載がなくても誤差の範囲を含むものと解釈する。
【００１７】
位置関係の説明である場合には、例えば、「〜上に」、「〜の上部に」、「〜の下部に」、「〜の隣に」など2つの部分の位置関係が説明されている場合は、「すぐに」または「直接」が使用されていない以上、二つの部分の間に1つ以上の他の部分が位置することもできる。
【００１８】
時間の関係に対する説明である場合には、例えば、「〜の後」、「〜に続いて」、「〜次に」、「〜前に」などで時間的前後関係が説明されている場合は、「すぐに」または「直接」が使用されていない以上、連続していない場合も含むことができる。
【００１９】
第１、第２などが多様な構成要素を記述するために使用されるが、このような構成要素はこのような用語によって制限されない。このような用語は、ただ一つの構成要素を他の構成要素と区別するために使用されるものである。したがって、以下に記載されている第１構成要素は、本出願の技術的思想内で第２構成要素であることもある。
【００２０】
「少なくとも一つ」の用語は、一つ以上の関連項目から提示可能なすべての組み合わせを含むものと理解されなければならない。たとえば、「第１項目、第２項目及び第３項目のうち少なくとも一つ」の意味は、第１項目、第２項目または第３項目のそれぞれのみならず、第１項目、第２項目及び第3項目の中で2つ以上から提示することができるすべての項目の組み合わせを意味する。
【００２１】
以下では、本出願によるタッチスクリーン一体型表示装置の好適な例を添付の図を参照して詳細に説明する。各図の構成要素に参照符号を付加するにおいて、同一の構成要素に対して、たとえ他の図上に表示されていても、可能な限り同一の符号を有することができる。
【００２２】
図１は、本出願の一例によるタッチスクリーン一体型表示装置を概略的に示す断面図であり、図２は、図２に示すＡ部分の拡大図である。
【００２３】
図１及び図２を参照すると、本出願の一例によるタッチスクリーン一体型表示装置は、基板１００、画素アレイ層１１０、封止層１２０、タッチ電極層１２０、平坦化層１４０、絶縁層１５０、フィルム接着部材１６０および機能性フィルム１７０を含むことができる。
【００２４】
前記基板１００は、ベース基板としてプラスチック材質またはガラス材質を含む。ここで、基板１００がプラスチック材質を含む場合には、基板１００は、不透明または有色ポリイミド材質を含むことができる。例えば、ポリイミド材質を含む基板１００は、比較的厚いキャリアガラス基板に設けられたリリース層の前面に一定の厚さでコーティングされたポリイミド樹脂が硬化することにより形成され得る。ここで、キャリアガラス基板は、レーザーリリース工程を用いたリリース層のリリースにより、基板１００から分離される。
【００２５】
さらに、基板１００がプラスチック材質を含む場合には、本例に係る表示装置は、基板１００の厚さ方向（Ｚ軸方向）を基準として、基板１００の背面に結合されたバックプレートをさらに含む。ここで、基板１００の背面は、画素アレイ層１１０と向き合う基板１１０の面と反対の面と定義することができる。前記バックプレートは、基板１００を平面状態に維持する。一例によるバックプレートはプラスチック材質、例えば、ポリエチレンテレフタレート材質を含むことができる。このようなバックプレートは、キャリアガラス基板から分離された基板１００の背面にラミネート加工することができる。
【００２６】
前記基板１００の一面上には、バッファ膜を形成することができる。バッファ膜は、透湿に脆弱な基板１００を介して画素アレイ層１１０に水分が浸透することを遮断するために、基板１００の一面上に形成される。一例によるバッファ膜は、交互に積層された複数の無機膜からなり得る。たとえば、バッファ膜、シリコン酸化膜（ＳｉＯｘ）、シリコン窒化膜（ＳｉＮｘ）およびシリコン酸化窒化膜（ＳｉＯＮ）のいずれか一つ以上の無機膜を交互に積層した多重膜で形成することができる。バッファ膜は省略することができる。
【００２７】
画素アレイ層１１０は、薄膜トランジスタ層（ＴＦＴＬ）および発光素子層（ＥＤＬ）を含むことができる。
【００２８】
前記薄膜トランジスタ層（ＴＦＴＬ）は、複数の薄膜トランジスタ１１１、ゲート絶縁膜１１２、層間絶縁膜１１３、保護膜１１４およびオーバーコート層１１５を含む。ここで、図２に示す薄膜トランジスタ１１１は、発光素子層（ＥＤＬ）に接続した駆動薄膜トランジスタであり得る。
【００２９】
前記薄膜トランジスタ１１１は、基板１００またはバッファ膜上に形成されたアクティブ層（ＡＣＬ）、ゲート電極（ＧＥ）、ソース電極（ＳＥ）及びドレイン電極（ＤＥＥ）を含む。図２では、薄膜トランジスタ１１１が、ゲート電極（ＧＥ）がアクティブ層（ＡＣＬ）の上部に位置する上部ゲート（トップゲート、ｔｏｐ  ｇａｔｅ）構造を示したが、これに限定されない。他の実施形態として、各薄膜トランジスタ１１１は、ゲート電極（ＧＥ）がアクティブ層（ＡＣＬ）の下部に位置する下部ゲート（ボトムゲート、ｂｏｔｔｏｍ  ｇａｔｅ）構造を有するか、ゲート電極（ＧＥ）がアクティブ層（ＡＣＬ）の上部と下部の両方に位置するダブルゲート（ｄｏｕｂｌｅ  ｇａｔｅ）構造を有することができる。
【００３０】
前記アクティブ層（ＡＣＬ）は、基板１００またはバッファ膜上に形成することができる。アクティブ層（ＡＣＬ）は、シリコン系半導体物質または酸化物系半導体物質などで形成することができる。バッファ膜とアクティブ層（ＡＣＬ）の間には、アクティブ層（ＡＣＬ）に入射する外部光を遮断するための遮光層をさらに形成することができる。
【００３１】
前記ゲート絶縁膜１１２は、アクティブ層（ＡＣＬ）を覆うように形成することができる。ゲート絶縁膜１１２は無機膜、例えばシリコン酸化膜（ＳｉＯｘ）、シリコン窒化膜（ＳｉＮｘ）、またはそれらの多重膜で形成することができる。
【００３２】
前記ゲート電極（ＧＥ）は、アクティブ層（ＡＣＬ）と重畳するようにゲート絶縁膜１１２上に形成することができる。ゲート電極（ＧＥ）は、ゲート絶縁膜１１２上に形成されるスキャンラインからアクティブ層（ＡＣＬ）と重畳するように突出することができる。ゲート電極（ＧＥ）とスキャンラインはモリブデン（Ｍｏ）、アルミニウム（Ａｌ）、クロム（Ｃｒ）、金（Ａｕ）、チタニウム（Ｔｉ）、ニッケル（Ｎｉ）、ネオジム（Ｎｄ）、銅（Ｃｕ）のいずれか一つまたはこれらの合金からなる単一層または複数層で形成することができる。
【００３３】
前記層間絶縁膜１１３は、ゲート電極（ＧＥ）とスキャンライン上に形成することができる。層間絶縁膜１１３は、無機膜、および、例えばシリコン酸化膜（ＳｉＯｘ）、シリコン窒化膜（ＳｉＮｘ）、またはそれらの多重膜で形成することができる。
【００３４】
前記ソース電極（ＳＥ）とドレイン電極（ＤＥ）は、ゲート電極（ＧＥ）を間に置いて、アクティブ層（ＡＣＬ）と重畳するように層間絶縁膜１１３上に形成することができる。層間絶縁膜１１３上には、ソース電極（ＳＥ）とドレイン電極（ＤＥ）と一緒にデータラインが形成される。ソース電極（ＳＥ）とドレイン電極（ＤＥ）のそれぞれは、ゲート絶縁膜１１２と層間絶縁膜１１３を貫通するコンタクトホールを介して、アクティブ層（ＡＣＬ）に接続することができる。ソース電極（ＳＥ）、ドレイン電極（ＤＥ）およびデータラインは、モリブデン（Ｍｏ）、アルミニウム（Ａｌ）、クロム（Ｃｒ）、金（Ａｕ）、チタニウム（Ｔｉ）、ニッケル（Ｎｉ）、ネオジム（Ｎｄ）および銅（Ｃｕ）のいずれか一つ、またはそれらの合金からなる単一層または複数層で形成することができる。
【００３５】
前記保護膜１１４は、ソース電極（ＳＥ）、ドレイン電極（ＤＥ）、データラインを覆うように形成することができる。このような保護膜１１４は、薄膜トランジスタ１１１を絶縁する。保護膜１１４は、無機膜、例えばシリコン酸化膜（ＳｉＯｘ）、シリコン窒化膜（ＳｉＮｘ）、またはそれらの多重膜で形成することができる。
【００３６】
前記オーバーコート層１１５は、保護膜１１４を覆うように形成される。オーバーコート層１１５は、薄膜トランジスタ１１１のそれぞれによる保護膜１１４の上面段差を平坦にする。オーバーコート層１１５は、アクリル樹脂（ａｃｒｙｌ  ｒｅｓｉｎ）、エポキシ樹脂（ｅｐｏｘｙ  ｒｅｓｉｎ）、フェノール樹脂（ｐｈｅｎｏｌｉｃ  ｒｅｓｉｎ）、ポリアミド樹脂（ｐｏｌｙａｍｉｄｅ  ｒｅｓｉｎ）、またはポリイミド樹脂（ｐｏｌｙｉｍｉｄｅ  ｒｅｓｉｎ）などの有機膜で形成することができる。
【００３７】
前記発光素子層（ＥＤＬ）は、薄膜トランジスタ層（ＴＦＴＬ）上に形成される。発光素子層（ＥＤＬ）は、発光素子１１６とバンク１１７を含む。
【００３８】
前記発光素子１１６とバンク１１７は、オーバーコート層１１５上に形成される。
【００３９】
一例に係る発光素子１１６は、薄膜トランジスタ層（ＴＦＴＬ）の駆動薄膜トランジスタ１１１から供給されるデータ信号による発光層（ＥＬ）の発光によって光を放出する。発光素子１１６は、第１電極（Ｅ１）、発光層（ＥＬ）、及び第２電極（Ｅ２）を含む。第１電極（Ｅ１）はアノード電極として定義され、第２電極（Ｅ２）はカソード電極と定義することができる。
【００４０】
前記第１電極（Ｅ１）は、オーバーコート層１１５上に形成することができる。第１電極（Ｅ１）は、オーバーコート層１１５と保護膜１１４を貫通するコンタクトホールを介して駆動薄膜トランジスタ１１１のソース電極（ＳＥ）に接続する。第１電極（Ｅ１）は、反射率の高い金属物質を含むことができる。例えば、第１電極（Ｅ１）は、アルミニウム（Ａｌ）、チタン（Ｔｉ）の積層構造（Ｔｉ／Ａｌ／Ｔｉ）、アルミニウム（Ａｌ）とＩＴＯ（Ｉｎｄｉｕｍ  Ｔｉｎ  Ｏｘｉｄｅ）の積層構造（ＩＴＯ／Ａｌ／ＩＴＯ）、ＡＰＣ（Ａｇ／Ｐｄ／Ｃｕ）合金、またはＡＰＣ合金とＩＴＯの積層構造（ＩＴＯ／ＡＰＣ／ＩＴＯ）のような多層構造で形成したり、銀（Ａｇ）、アルミニウム（Ａｌ）、モリブデン（Ｍｏ）、金（Ａｕ）、マグネシウム（Ｍｇ）、カルシウム（Ｃａ）、またはバリウム（Ｂａ）の中から選択されたいずれか一つの物質または２以上の合金材質からなる単一層構造を含むことができる。
【００４１】
前記バンク１１７は、第１電極（Ｅ１）の端を覆うようにオーバーコート層１１５上に形成され、第１電極（Ｅ１）上に開口領域（ＯＡ）（Ｐ）を設ける。このようなバンク１１７は、隣接する画素（Ｐ）の第１電極（Ｅ１）間に配置され、画素（Ｐ）の開口領域（ＯＡ）（Ｐ）を定義する画素定義膜の役割をする。
【００４２】
前記発光層（ＥＬ）は、第１電極（Ｅ１）とバンク１１７を覆うように形成することで、複数の画素（Ｐ）に共通に形成される共通層であり得る。発光層（ＥＬ）は、有機発光層、無機発光層、及び量子ドット発光層のいずれか一つを含むか、有機発光層（または無機発光層）と量子ドット発光層の積層または混合構造を含むことができる。
【００４３】
一例による発光層（ＥＬ）は、白色光を放出するための２以上の発光部を含む。例えば、発光層（ＥＬ）は、第１光と第２光の混合によって白色光を放出するための第１発光部と第２発光部を含むことができる。ここで、第１発光部は、第１光を放出するもので、青色発光部、緑色発光部、赤色発光部、黄色発光部および黄緑色発光部のいずれか一つを含むことができる。第２発光部は、青色発光部、緑色発光部、赤色発光部、黄色発光部、及び黄緑色発光部の中で第１光と補色関係を有する光を放出する発光部を含むことができる。
【００４４】
第２電極（Ｅ２）は、発光層（ＥＬ）上に形成される。第２電極（Ｅ２）は、発光層（ＥＬ）を覆うように形成することができる。第２電極（Ｅ２）は、画素（Ｐ）に共通に形成される共通層であり得る。一例による第２電極（Ｅ２）は、光を透過させることができる透明な導電性物質、例えば、ＩＴＯまたはＩＺＯ（Ｉｎｄｉｕｍ  Ｚｉｎｃ  Ｏｘｉｄｅ）のような金属酸化物、ＺｎＯ：Ａｌ、またはＳｎＯ２：Ｓｂのような金属と酸化物の混合物からなり得る。
【００４５】
このように、発光素子層（ＥＤＬ）が形成された領域には、画素（Ｐ）が設けられるので、発光素子層（ＥＤＬ）が形成された領域は、表示領域と定義することができる。表示領域の周辺領域は、非表示領域として定義することができる。このような発光素子層（ＥＤＬ）は、第１電極（Ｅ１）を介して薄膜トランジスタ層（ＴＦＴＬ）の駆動薄膜トランジスタ１１１から供給されるデータ信号によって発光する。ここで、発光素子層（ＥＤＬ）で発生した光は、機能性フィルム１７０の方に放出され得る。
【００４６】
一例によると、複数の画素（Ｐ）を、表示領域上にストライプ（ｓｔｒｉｐｅ）構造で形成することができる。ここで、複数の画素（Ｐ）のそれぞれは、赤色サブピクセル、緑色サブピクセルおよび青色サブピクセルを含むことができ、さらに白色サブピクセルをさらに含むことができる。
【００４７】
他の例に係る複数の画素（Ｐ）は、表示領域上にペンタイル（ｐｅｎｔｉｌｅ）構造で形成することができる。ここで、複数の画素（Ｐ）のそれぞれは、平面的に多角形態に配置された一つの赤色サブピクセル、二つの緑色サブピクセルおよび一つの青色サブピクセルを含むことができる。例えば、ペンタイル構造を有する画素（Ｐ）のそれぞれは、一つの赤色サブピクセル、二つの緑色サブピクセルおよび一つの青色サブピクセルが平面的に八角の形態を有するように配置することができ、この場合、青色サブピクセルが最も大きいサイズを有し、緑色サブピクセルが最も小さいサイズを有することができる。
【００４８】
さらに、本出願の一例によるタッチスクリーン一体型表示装置は、基板１００の非表示領域に設けられたスキャン駆動回路をさらに含むことができる。スキャン駆動回路は、スキャン制御信号によってスキャンパルスを生成し、設定された順序に該当するスキャンラインに供給する。一例によるスキャン駆動回路は、薄膜トランジスタと共に基板１００の非表示領域に形成することができる。
【００４９】
前記封止層１２０は、画素アレイ層１１０を囲むように形成される。画素アレイ層１１０の周辺は、封止層１２０によって完全に囲むことができる。例えば、画素アレイ層１１０の一面は、基板１００によって覆い、画素アレイ層１１０の他のすべての面は、封止層１２０によって覆うことによって画素アレイ層１１０を、完全に囲むことができる。封止層１２０は、外部からの衝撃から発光素子層などを保護し、酸素および／または水分さらには異物（ｐａｒｔｉｃｌｅｓ）が発光素子層（ＥＤＬ）の発光層（ＥＬ）と第２電極（Ｅ２）に浸透することを防止する役割をする。封止層１２０は、少なくとも一つの無機膜を含むことができる。そして、封止層１２０は、少なくとも一つの有機膜をさらに含むことができる。
【００５０】
一例による封止層１２０は、第１無機封止層、有機封止層、及び第２無機封止層を含むことができる。
【００５１】
前記第１無機封止層は、画素アレイ層１１０を囲むように、基板１００上に形成される。一例による第１無機封止層は、シリコン酸化膜（ＳｉＯｘ）、シリコン窒化膜（ＳｉＮｘ）、シリコン酸化窒化膜（ＳｉＯＮ）、チタン酸化膜（ＴｉＯｘ）およびアルミニウム酸化膜（ＡｌＯｘ）のいずれか一つの無機物質を含むことができる。
【００５２】
前記有機封止層は、第１無機封止層を覆うように基板１００上に形成される。有機封止層は、異物（ｐａｒｔｉｃｌｅｓ）が封止層１２０を突き抜けて発光素子層（ＥＤＬ）に浸透することを防止するために、第１無機封止層よりも相対的に厚い厚さを有することができる。一例による有機封止層は、アクリル樹脂（ａｃｒｙｌ  ｒｅｓｉｎ）、エポキシ樹脂（ｅｐｏｘｙ  ｒｅｓｉｎ）、フェノール樹脂（ｐｈｅｎｏｌｉｃ  ｒｅｓｉｎ）、ポリアミド樹脂（ｐｏｌｙａｍｉｄｅ  ｒｅｓｉｎ）、ポリイミド樹脂（ｐｏｌｙｉｍｉｄｅ  ｒｅｓｉｎ）およびベンゾシクロブテン樹脂（ｂｅｎｚｏｃｙｃｌｏｂｕｔｅｎｅ  ｒｅｓｉｎ）のいずれか一つの有機物質からなり得る。例えば、有機封止層はエポキシ樹脂で形成することができる。
【００５３】
前記第２無機封止層は、有機封止層を覆うように基板１００上に形成される。一例による第２無機封止層は、第1無機封止層と同じ無機物質で形成することができる。
【００５４】
前記タッチ電極層１３０は、封止層１２０上に形成される。一例によるタッチ電極層１３０は、ブリッジ電極（ＢＥ）、タッチ絶縁膜１３１、第１タッチ電極（ＴＥ１）、及び第２タッチ電極（ＴＥ２）を含むことができる。選択的に、タッチ電極層１３０は、封止層１２０上に形成されたタッチバッファ層をさらに含むことができる。
【００５５】
前記ブリッジ電極（ＢＥ）は、封止層１２０またはタッチバッファ層上に形成される。すなわち、ブリッジ電極（ＢＥ）は、封止層１２０上に定義されたブリッジ電極領域にそれぞれ形成される。一例によるブリッジ電極（ＢＥ）は、金属物質の単一層構造または多層構造を有することができる。たとえば、ブリッジ電極（ＢＥ）は、モリブデン（Ｍｏ）、銀（Ａｇ）、チタン（Ｔｉ）、銅（Ｃｕ）、アルミニウム（Ａｌ）、チタン／アルミニウム／チタン（Ｔｉ／Ａｌ／Ｔｉ）、モリブデン／アルミ／モリブデン（Ｍｏ／Ａｌ／Ｍｏ）などの金属物質からなる単一層または多層構造を有することができる。このようなブリッジ電極（ＢＥ）は、画素（Ｐ）の開口領域（ＯＡ）が減ることを防止するために、バンク１１７と重畳するように配置することができる。
【００５６】
前記タッチ絶縁膜１３１は、ブリッジ電極（ＢＥ）を囲むように封止層１２０またはタッチバッファ層上に形成される。ブリッジ電極（ＢＥ）の両端と重畳するタッチ絶縁膜１３１には、ブリッジコンタクトホール（ＢＣＨ）が形成される。一例によるタッチ絶縁膜１３１は、無機膜、例えばシリコン酸化膜（ＳｉＯｘ）、シリコン窒化膜（ＳｉＮｘ）、またはそれらの多重膜で形成することができる。
【００５７】
前記第１タッチ電極（ＴＥ１）は、封止層１２０上に定義された第１タッチ電極領域のそれぞれと重畳するタッチ絶縁膜１３１上に形成される。ここで、第１タッチ電極領域は、第１方向（Ｘ）に沿って互いに離隔する。第１方向は、画素アレイ層１１０に形成されたスキャンラインまたはデータラインと平行な方向であり得る。
【００５８】
前記第２タッチ電極（ＴＥ２）は、封止層１２０上に画定された第２タッチ電極領域のそれぞれと重畳するタッチ絶縁膜１３１上に形成される。ここで、第２タッチ電極領域は、第１方向（Ｘ）と交差する第２方向（Ｙ）に沿って互いに離隔する。
【００５９】
第１及び第２タッチ電極（ＴＥ１、ＴＥ２）は、同じ層に配置することができる。第１及び第２タッチ電極（ＴＥ１、ＴＥ２）は、センシング領域を挟んで互いに離隔していて、互いに電気的に絶縁される。第２方向（Ｙ）に離隔した第２タッチ電極（ＴＥ２）は、タッチ絶縁膜１３１に形成されたブリッジコンタクトホール（ＢＣＨ）を介してブリッジ電極（ＢＥ）に電気的に接続する。これにより、第２方向（Ｙ）に離隔した第２タッチ電極（ＴＥ２）は、ブリッジ電極（ＢＥ）を介して互いに接続することで、第１及び第２タッチ電極（ＴＥ１、ＴＥ２）の交差領域において、第１および第２タッチ電極（ＴＥ１、ＴＥ２）は、互いにショートせずに絶縁される。
【００６０】
一例による第１及び第２タッチ電極（ＴＥ１、ＴＥ２）とブリッジ電極（ＢＥ）は、非常に薄い線幅を有するメタルラインが互いに交差してなるメッシュパターン（ｍｅｓｈ  ｐａｔｔｅｒｎ）を含むことができる。一例によるメッシュパターンは、モリブデン（Ｍｏ）、銀（Ａｇ）、チタン（Ｔｉ）、銅（Ｃｕ）、アルミニウム（Ａｌ）、チタン／アルミニウム／チタン（Ｔｉ／Ａｌ／Ｔｉ）、モリブデン／アルミニウム／モリブデン（Ｍｏ／Ａｌ／Ｍｏ）などの金属物質からなる単一層または多層構造を有することができる。メッシュパターンは、画素（Ｐ）の開口領域（ＯＡ）が減ることを防止するためにバンク１１７と重畳するように配置することができる。このような第１タッチ電極（ＴＥ１）と第２タッチ電極（ＴＥ２）それぞれは、メッシュパターン構造を有し、全体的な形状は多角形、例えば、ひし形の形状を有することができ、この場合には、タッチ電極層１３０の角部に配置された第１タッチ電極（ＴＥ１）と第２タッチ電極（ＴＥ２）それぞれは、三角形の形状を有することができる。メッシュパターンは、各ピクセル（Ｐ）の開口領域（ＯＡ）と対応する複数の開口部（ｏｐｅｎｉｎｇ）またはホール（ｈｏｌｅ）を含むことができる。
【００６１】
他の例に係る第１及び第２タッチ電極（ＴＥ１、ＴＥ２）は、ライン形状または多角形、例えば、ひし形形状を有することもできる。
【００６２】
前記平坦化層１４０は、タッチ電極層１３０を覆うように基板１００上に形成され、タッチ電極層１３０上に平坦面を提供する。一例による平坦化層１４０は、第１及び第２タッチ電極（ＴＥ１、ＴＥ２）とタッチ絶縁膜１３１を覆うように比較的厚い厚さで形成することによって、タッチ電極層１３０の電極による段差を平坦化する。一例による平坦化層１４０は、ポリアクリレート樹脂（ｐｏｌｙａｃｒｙｌａｔｅｓ  ｒｅｓｉｎ）、エポキシ樹脂（ｅｐｏｘｙ  ｒｅｓｉｎ）、フェノール樹脂（ｐｈｅｎｏｌｉｃ  ｒｅｓｉｎ）、ポリアミド樹脂（ｐｏｌｙａｍｉｄｅ  ｒｅｓｉｎ）、ポリイミド樹脂（ｐｏｌｙｉｍｉｄｅ  ｒｅｓｉｎ）およびベンゾシクロブテン樹脂（ｂｅｎｚｏｃｙｃｌｏｂｕｔｅｎｅ  ｒｅｓｉｎ）のいずれか一つの有機物質からなり得る。例えば、平坦化層１４０は、ポリアクリレート樹脂（ｐｏｌｙａｃｒｙｌａｔｅｓ  ｒｅｓｉｎ）を含むことが好ましい。このような平坦化層１４０は、タッチ電極層１３０上にポリアクリレート樹脂をコーティングするコーティング工程およびコーティングされたポリアクリレート樹脂を摂氏１００度以下の温度で硬化（ｃｕｒｉｎｇ）させる硬化工程を介して形成することができる。
【００６３】
前記絶縁層１５０は、分子吸着物質を含有して平坦化層１４０上に形成される。絶縁層１５０は、水分が機能性フィルム１７０の方に浸透することを防止するために水分を吸着してよく、それにより、タッチスクリーン一体型表示装置の耐透湿性を強化する。また、絶縁層１５０は、平坦化層１４０のアウトガスヒューム（ｏｕｔｇａｓ  ｆｕｍｅ）をさらに吸着してアウトガスヒュームが機能性フィルム１７０の方に浸透することを防止する。そのため、本出願の一例による絶縁層１５０は、分子吸着物質を含有した有機物質を含むことができる。有機物質に含有（または添加）する分子吸着物質は、絶縁層１５０の体積の５％以下に設定することができる。例えば、分子吸着物質は、絶縁層１５０の全体積（ｖｏｌｕｍｅ）の５％を占めることができる。ここで、有機物質に添加する分子吸着物質が５％を超える場合には、絶縁層１５０は、分子吸着物質に吸着された水分および／またはアウトガスヒュームの吸着量によって膨張し得、これにより、信頼性が低下し得る。
【００６４】
前記絶縁層１５０の有機物質は、アクリレート（ａｃｒｙｌａｔｅ）系またはシロキサン（ｓｉｌｏｘａｎｅ）系列を含むことができる。
【００６５】
一例による分子吸着物質は、フッ素（Ｆｌｕｏｒｉｎｅ）ベースの化合物を含むことができる。例えば、フッ素（Ｆｌｕｏｒｉｎｅ）ベースの化合物を含む分子吸着物質は、商標名ナフィオン（Ｎａｆｉｏｎ：Ｄｕ  Ｐｏｎｔ  ｃｏｍｐａｎｙ’ｓ  ｔｒａｄｅｍａｒｋ）分子体を含むことができる。ここで、ナフィオン分子体はパーフルオロスルホン酸（ｐｅｒｆｌｕｏｒｏｓｕｌｆｏｎｉｃ  ａｃｉｄ）を加水分解して製造される物質で、下記の化学式１のような分子構造を有する。このようなナフィオン分子体は、フッ素ベースの化合物で、末端基のＳＯ３−が水の分子と反応して極性水分子を吸着する。また、ナフィオン分子体は、熱による平坦化層１４０の極性アウトガスヒューム（ｏｕｔｇａｓ  ｆｕｍｅ）、例えば酸性混合物（ａｃｉｄ  ｃｏｍｐｏｓｉｔｉｏｎ）をさらに吸着する。
【００６６】
【化１】
2019082685.tif 000003
【００６７】
一例による絶縁層１５０は、平坦化層１４０の製造工程と同じコーティング工程と硬化工程によって２〜３マイクロメートルの厚さを有するように平坦化層１４０上に形成することができる。
【００６８】
前記フィルム接着部材１６０は、絶縁層１５０と機能性フィルム１７０の間に介在して機能性フィルム１７０と絶縁層１５０を互いに結合させる。すなわち、フィルム接着部材１６０は、機能性フィルム１７０を絶縁層１５０の前面にラミネートするためのものであり、減圧接着剤（ｐｒｅｓｓｕｒｅ  ｓｅｎｓｉｔｉｖｅ  ａｄｈｅｓｉｖｅ）、光学透明接着剤（ｏｐｔｉｃａｌｌｙ  ｃｌｅａｒ  ａｄｈｅｓｉｖｅ）、または光学透明接着樹脂（ｏｐｔｉｃａｌｌｙ  ｃｌｅａｒ  ｒｅｓｉｎ）を含むことができる。
【００６９】
前記機能性フィルム１７０は、フィルム接着部材１６０を媒介して絶縁層１５０の前面に接着することができる。一例による機能性フィルム１７０は、偏光フィルムを含むことができる。偏光フィルムは、画素アレイ層１１０に設けられた薄膜トランジスタおよび／または画素駆動ラインなどにより反射した外部光を円偏光状態に変更して表示装置の視認性とコントラスト比を向上させる役割を含む。他の例に係る機能性フィルム１７０は、偏光フィルム、バリアフィルム、反射防止フィルムおよび透過度制御フィルム（ｔｒａｎｓｍｉｔｔａｎｃｅ  ｃｏｎｔｒｏｌｌａｂｌｅ  ｆｉｌｍ）のうちの少なくとも一つのフィルムを含むこともできる。
【００７０】
本出願の一例によるタッチスクリーン一体型表示装置は、ウインドウカバー１９０をさらに含むことができる。
【００７１】
前記ウインドウカバー１９０は、カバー接着部材１８０を媒介にして機能性フィルム１７０の前面に接着することができる。一例によるウインドウカバー１９０は、プラスチック材質、金属材質、またはガラス材質からなることができる。ここで、ガラス材質のウインドウカバー１９０は、サファイアガラス（Ｓａｐｐｈｉｒｅ  Ｇｌａｓｓ）およびゴリラグラス（Ｇｏｒｉｌｌａ  Ｇｌａｓｓ）のいずれか一つ、またはこれらの接合構造を有することができる。たとえば、ウインドウカバー１９０は、耐久性が相対的に高いゴリラグラスからなり得る。
【００７２】
前記カバー接着部材１８０は、ウインドウカバー１９０を機能性フィルム１７０の前面にラミネートするためのものであり、減圧接着剤（ｐｒｅｓｓｕｒｅ  ｓｅｎｓｉｔｉｖｅ  ａｄｈｅｓｉｖｅ）、光学透明接着剤（ｏｐｔｉｃａｌｌｙ  ｃｌｅａｒ  ａｄｈｅｓｉｖｅ）、または光学透明接着樹脂（ｏｐｔｉｃａｌｌｙ  ｃｌｅａｒ  ｒｅｓｉｎ）を含むことができる。
【００７３】
さらに、本出願の一例によるタッチスクリーン一体型表示装置は、タッチ電極層１３０上に設けられたブラックマトリックスおよび波長変換層をさらに含むことができる。
【００７４】
前記ブラックマトリックスは、各画素（Ｐ）の開口領域を定義するもので、バンク１１７と重畳するように平坦化層１４０上に配置され得る。
【００７５】
前記波長変換層は、ブラックマトリックスによって画定される平坦化層１４０上の開口領域（ＯＡ）に形成される。
【００７６】
一例による波長変換層は、各画素（Ｐ）の発光素子１１６から入射する白色光のうち画素に設定された色相の波長だけを透過させるカラーフィルタを含む。例えば、波長変換層は、赤色、緑色、または青色の波長だけを透過させることができる。
【００７７】
他の例に係る波長変換層は、各画素（Ｐ）の発光素子１１６から入射する白色光によって再発光して画素に設定された色相の光を放出する大きさを有する量子ドットを含むことができる。ここで、量子ドットは、ＣｄＳ、ＣｄＳｅ、ＣｄＴｅ、ＺｎＳ、ＺｎＳｅ、ＧａＡｓ、ＧａＰ、ＧａＡｓ−Ｐ、Ｇａ−Ｓｂ、ＩｎＡｓ、ＩｎＰ、ＩｎＳｂ、ＡｌＡｓ、ＡｌＰ、またはＡｌＳｂなど選択することができる。例えば、前記のＣｄＳｅまたはＩｎＰの量子ドットは、赤色光を放出することができ、ＣｄＺｎＳｅＳの量子ドットは、緑色光を放出することができ、ＺｎＳｅの量子ドットは、青色光を放出することができる。このように、波長変換層が量子ドットを含む場合には、色再現率が高くなり得る。
【００７８】
また他の例による波長変換層は、量子ドットを含有するカラーフィルタからなり得る。
【００７９】
このような波長変換層を含む場合、本出願の一例は、発光素子層（ＥＤＬ）を各画素（Ｐ）に共通して形成することにより製造工程を簡略化することができる。
【００８０】
一方、本出願の一例によるタッチスクリーン一体型表示装置では、発光素子層（ＥＤＬ）の一部として設けられた発光素子１１６の発光層（ＥＬ）は、赤色発光層、緑色発光層、及び青色発光層に分離することができる。この場合、赤色発光層、緑色発光層、及び青色発光層は、各画素（Ｐ）に共通に形成せずに、該当するカラーの色相を有する画素に個別に形成する。これにより、ブラックマトリックスおよび波長変換層は省略される。
【００８１】
このように、本例に係るタッチスクリーン一体型表示装置は、外部から浸透する水分と平坦化層１４０から放出されるアウトガスヒュームが絶縁層１５０に添加した分子吸着物質に吸着されることにより、水分とアウトガスヒュームによるフィルム接着部材１６０の接着力低下を防止することによってフィルム接着部材１６０の接着力を維持することができ、フィルム接着部材１６０の接着力が維持されることで、熱による機能性フィルム１７０が曲がる現象とフィルム接着部材１６０の接着力低下現象によりフィルム接着部材１６０に発生するクラック現象を防止することができ、これによって耐透湿性および高い信頼性を有することができる。
【００８２】
図３は、本出願の一例によるタッチスクリーン一体型表示装置を概略的に示す断面図であり、図４は、図１に示すＢ部分の拡大図であり、図５は、図４に示す絶縁層の平面図であり、図６は、図５に示す線Ｉ−Ｉ’の断面図であり、これは図１及び図２に示す絶縁層の構造を変更して構成したものである。これにより、以下の説明では、絶縁層およびこれに関連する構成についてのみ説明し、残りの構成に対する重複説明は省略することにする。
【００８３】
図３〜図６を参照すると、本例に係る絶縁層１５０は、ベース層１５１および非平坦面１５３を含むことができる。
【００８４】
前記ベース層１５１は、分子吸着物質を含有するもので、これは、図１及び図２に示す絶縁層と同様であるため、これに対する重複説明は省略する。
【００８５】
前記非平坦面１５３は、絶縁層１５０とフィルム接着部材１６０の界面に設けられる。すなわち、非平坦面１５３は、ベース層１５１の表面全体または一部に形成することができる。非平坦面１５３は、凹凸面または散乱面として定義することができる。このような非平坦面１５３は、絶縁層１５０の表面積を増加させることによって、フィルムの接着部材１６０の接着表面積を増加させて絶縁層１５０とフィルム接着部材１６０の間の接着力を増加させる。また、非平坦面１５３は、絶縁層１５０とフィルム接着部材１６０の界面で散乱面の役割をすることで、画素アレイ層１１０に設けられた各画素の（Ｐ）の発光素子層（ＥＤＬ）から放出される光を散乱させて、ウインドウカバー１９０の外部に抽出される光抽出効率を増加させる。
【００８６】
一例による非平坦面１５３は、ベース層１５１の表面に設けられたマイクロレンズパターンを含む。前記マイクロレンズパターンは、複数の凹部１５３ａおよび隔壁１５３ｂを含むことができる。
【００８７】
前記複数の凹部１５３ａのそれぞれは、ベース層１５１の表面から曲面形状の断面構造を有するように凹に形成することができる。一例による複数の凹部１５３ａのそれぞれは、凹レンズの断面構造を有することができる。たとえば、複数の凹部１５３ａのそれぞれは、半円形状の断面構造を有することができる。
【００８８】
前記複数の凹部１５３ａのそれぞれは、一定の間隔を有するように、第１方向（Ｘ）に沿って並んで配置され、第２方向（Ｙ）に沿ってジグザグ形態に配置することができる。すなわち、複数の凹部１５３ａのそれぞれは、一定の間隔を有するマトリックス形態に配置され、第２方向（Ｙ）に沿って隣接する凹部１５３ａ同士を交互に配置することができる。これにより、隣接する３つの凹部１５３ａのそれぞれの中心部は、三角形（ＴＳ）をなすことができる。また、複数の凹部１５３ａのそれぞれは、２次元的にハニカム構造を有することができる。
【００８９】
前記複数の凹部１５３ａのそれぞれは、平坦化層１４０の前面を基準に、互いに同一の深さを有することができるが、複数の凹部１５３ａの一部は、パターニング工程時に工程誤差により、異なる深さを有することができる。複数の凹部１５３ａのそれぞれの底部は、絶縁層１５０のパターニング工程時、平坦化層１４０の前面の一部が凹部１５３ａに直接に露出することを防止するために、平坦化層１４０の前面から０．１〜１マイクロメートルほど離隔される。すなわち、複数の凹部１５３ａのそれぞれの底部１５３ａ１（底面部１５３ｂ１）と平坦化層１４０の前面の間の厚さ（ｔ１）は、０．１〜１マイクロメートルに設定することができる。
【００９０】
万一、平坦化層１４０の前面の一部が凹部１５３ａに直接に露出する場合には、平坦化層１４０の前面の一部がフィルム接着部材１６０と直接に接触することにより熱によって平坦化層１４０から放出されるアウトガスヒュームによってフィルム接着部材１６０の接着力が低下し得る。
【００９１】
前記隔壁１５３ｂは、複数の凹部１５３ａのそれぞれを囲むように設けられる。隔壁１５３ｂは、平面的に六角形状を有することができる。隔壁１５３ｂは、複数の凹部１５３ａ間の間隔（Ｄ１）によって先端構造または凸構造を有することができる。一例として、複数の凹部１５３ａ間の間隔（Ｄ１）と、複数の凹部１５３ａのそれぞれの直径（Ｄ２）が同じである場合、隔壁１５３ｂは、先端構造を有することができる。他の例として、複数の凹部１５３ａ間の間隔（Ｄ１）が複数の凹部１５３ａのそれぞれの直径（Ｄ２）よりも大きい場合、隔壁１５３ｂは、凸構造を有することができる。このように、隔壁１５３ｂの構造は、絶縁層１５０の表面積を増加させながら、光抽出効率を向上させることができる複数の凹部１５３ａ間の間隔（Ｄ１）と、複数の凹部１５３ａのそれぞれの直径（Ｄ２）によって決定することができる。
【００９２】
一例による隔壁１５３ｂは、複数の凹部１５３ａのそれぞれによって設けられる底面部１５３ｂ１、頂上部１５３ｂ２および側面部１５３ｂ３を含むことができ、この場合、隔壁１５３ｂは、凸構造を有することができ、例えば、隔壁１５３ｂは、ベル（ｂｅｌｌ）またはガウス曲線の断面構造を有することができる。
【００９３】
前記底面部１５３ｂ１は、平坦化層１４０に隣接する凹部１５３ａの底面と定義することができる。すなわち、底面部１５３ｂ１は、平坦化層１４０の前面から０．１〜１マイクロメートルほど離隔することができる。底面部１５３ｂ１の直径（または幅）は、隔壁１５３ｂの高さと底面の直径を基に隔壁１５３ｂの縦横比によって設定することができる。
【００９４】
前記頂上部１５３ｂ２は、底面部１５３ｂ１から設定された高さだけ離隔する。頂上部１５３ｂ２は、隔壁１５３ｂの頂点と定義することができ、凸構造を有するか、図６に示すように、先の尖った構造を有することができる。
【００９５】
前記側面部１５３ｂ３は、底面部１５３ｂ１と頂上部１５３ｂ２の間に曲線形態で設けることができる。一例による側面部１５３ｂ３は、中間部（ＩＰ）、中間部（ＩＰ）と底面部１５３ｂ１の間の第１曲線部、及び中間部（ＩＰ）と頂上部１５３ｂ２の間の第２曲線部を含むことができる。前記中間部（ＩＰ）は、図６に示すように凹面を含み、第１曲線部と第２曲線部の両方が凹面であり得る。選択的に、側面部１５３ｂ３は凹面と凸面の両方を含むことができる。この場合には、中間部（ＩＰ）と底面部１５３ｂ１の間の第１曲線部は凹面であり得、中間部（ＩＰ）と頂上部１５３ｂ２の間の第２曲線部は凸面であり得る。このような構造の場合、中間部（ＩＰ）は、凹面と凸面の境界である変曲部（ａｎ  ｉｎｆｌｅｃｔｉｏｎ  ｐｏｉｎｔ）であり得る。これにより、変曲部を含む側面部１５３ｂ３に入射する光の進行経路を凹面と凸面それぞれによって、様々な角度に変更することができ、これにより画素の光抽出効率が向上し得る。
【００９６】
本例による絶縁層１５０は、フィルム接着部材１６０を媒介にして機能性フィルム１７０と結合する。ここで、フィルム接着部材１６０は、絶縁層１５０に設けられた非平坦面（または散乱面）１５３に接着することにより、フィルム接着部材１６０の接着面積が増加することによって、フィルム接着部材１６０と絶縁層１５０の間の接着力が増加し得る。
【００９７】
このように、本例に係るタッチスクリーン一体型表示装置は、図１及び図２に示す表示装置と同様の効果を有しながら、絶縁層１５０に設けられた非平坦面１５３によってフィルム接着部材１６０と絶縁層１５０の間の接着力が増加し得、画素の光抽出効率を向上させることができる。
【００９８】
図７は、比較例と本出願の例による単一有機膜のアウトガスヒューム特性を測定したグラフである。図７において、アウトガスヒューム特性は、分子吸着物質が添加されていない比較例の単一の有機膜（Ｓａｍｐｌｅ  １）と分子吸着物質を５％以下添加した本出願の単一有機膜（Ｓａｍｐｌｅ  ２）それぞれを硬化させた後、２３００度に再加熱中に発生する単位面積当たりのアウトガスヒュームの放出量を測定したものである。
【００９９】
図７から分かるように、本出願の単一有機膜（Ｓａｍｐｌｅ  ２）のアウトガスヒュームの放出量は比較例の単一有機膜（Ｓａｍｐｌｅ  １）に比べ２０％程度減少することを確認することができる。
【０１００】
したがって、本出願は、分子吸着物質を添加した有機物質を含む絶縁層を平坦化層とフィルム接着部材の間に介在することにより、熱により平坦化層から放出されるアウトガスヒュームによってフィルム接着部材の接着力が低下することを防止することができる。
【０１０１】
以上のように、本出願の例によるタッチスクリーン一体型表示装置は、テレビ、ウオールペーパー（ｗａｌｌ  ｐａｐｅｒ）、テレビ、モニター、ノートパソコン、スマートフォン、タブレットコンピュータ、電子パッド、ウェアラブル機器（ｗｅａｒａｂｌｅ  ｄｅｖｉｃｅ）、フォールダブル機器（ｆｏｌｄａｂｌｅ  ｄｅｖｉｃｅ）、ローラブル機器（ｒｏｌｌａｂｌｅ  ｄｅｖｉｃｅ）、ベンダブル機器（ｂｅｎｄａｂｌｅ  ｄｅｖｉｃｅ）、フレキシブルデバイス（ｆｌｅｘｉｂｌｅ  ｄｅｖｉｃｅ）、カーブド機器（ｃｕｒｖｅｄ  ｄｅｖｉｃｅ）、スマートウォッチ、携帯情報機器、ナビゲーション、または車両制御ディスプレイ機器などに適用することができる。
【０１０２】
本出願の一例によるタッチスクリーン一体型表示装置は、次のように説明することができる。
【０１０３】
本出願の一例によるタッチスクリーン一体型表示装置は、基板上に設けられた画素アレイ層、画素アレイ層を囲む封止層、封止層上に設けられたタッチ電極層、タッチ電極層上に設けられた平坦化層、平坦化層上に設けられた絶縁層、及びフィルム接着部材を介して絶縁層に接着された機能性フィルムを含み、絶縁層は、分子吸着物質を含有することができる。
【０１０４】
本出願の一例による分子吸着物質は、水の分子を吸着することができる。
【０１０５】
本出願の一例による分子吸着物質は、平坦化層のアウトガスヒュームを吸着することができる。
【０１０６】
本出願の一例による分子吸着物質は、フッ素ベースの化合物を含むことができる。
【０１０７】
本出願の一例による絶縁層は、分子吸着物質を含有した有機物質を含み、分子吸着物質は、ナフィオン（Ｎａｆｉｏｎ）分子体を含むことができる。
【０１０８】
本出願の一例による絶縁層は、分子吸着物質を含有した有機物質を含み、絶縁層の有機物質は、アクリレート（ａｃｒｙｌａｔｅ）系またはシロキサン（ｓｉｌｏｘａｎｅ）系を含むことができる。
【０１０９】
本出願の一例によるフィルム接着部材は、減圧接着剤、光学透明接着剤、または光学透明接着樹脂を含むことができる。
【０１１０】
本出願の一例による平坦化層は、ポリアクリレート樹脂（ｐｏｌｙａｃｒｙｌａｔｅｓ  ｒｅｓｉｎ）、エポキシ樹脂（ｅｐｏｘｙ  ｒｅｓｉｎ）、フェノール樹脂（ｐｈｅｎｏｌｉｃ  ｒｅｓｉｎ）、ポリアミド樹脂（ｐｏｌｙａｍｉｄｅ  ｒｅｓｉｎ）、ポリイミド樹脂（ｐｏｌｙｉｍｉｄｅ  ｒｅｓｉｎ）およびベンゾシクロブテン樹脂（ｂｅｎｚｏｃｙｃｌｏｂｕｔｅｎｅ  ｒｅｓｉｎ）のいずれか一つを含むことができる。
【０１１１】
本出願の一例による機能性フィルムは、偏光フィルムを含むことができる。
【０１１２】
本出願の一例による絶縁層とフィルム接着部材の界面は、非平坦面であり得る。
【０１１３】
本出願の一例による絶縁層は散乱層を含み、フィルム接着部材は散乱層に接着することができる。
【０１１４】
本出願の一例による絶縁層は、分子吸着物質を含有するベース層およびベース層の表面に設けられたマイクロレンズパターンを有する非平坦面を含み、フィルム接着部材は、マイクロレンズパターンに接着することができる。
【０１１５】
本出願の一例による機能性フィルムは、偏光フィルムを含むことができる。上述した本出願の例で説明した特徴、構造、効果などは、本出願の少なくとも一つの例に含まれ、必ずしも一つの例のみに限定されるものではない。さらに、本出願の少なくとも一つの例で例示した特徴、構造、効果などは、本出願が属する分野の通常の知識を有する者によって他の例に対しても組み合わせ、または変形して実施可能である。したがって、このような組み合わせと変形に関する内容は、本出願の範囲に含まれるものと解釈されなければならない。
【０１１６】
以上で説明した本出願は、前述した一例及び添付の図に限定されるものではなく、本出願の技術的事項を逸脱しない範囲内で、複数の置換、変形及び変更が可能であることが、本出願が属する技術分野で通常の知識を有する者にとって明らかであろう。したがって、本出願の範囲は、後述する特許請求の範囲によって示され、特許請求の範囲の意味及び範囲そしてその等価概念から導出されるすべての変更または変形された形態が本出願の範囲に含まれるものと解釈されなければならない。
【符号の説明】
【０１１７】
１００：基板
１１０：画素アレイ層
１２０：封止層
１３０：タッチ電極層
１４０：平坦化層
１５０：絶縁層
１５１：ベース層
１５３：非平坦面
１６０：フィルム接着部材
１７０：機能性フィルム
１８０：カバー接着部材
１９０：ウインドウカバー
【図１】
2019082685.tif 000004
【図２】
2019082685.tif 000005
【図３】
2019082685.tif 000006
【図４】
2019082685.tif 000007
【図５】
2019082685.tif 000008
【図６】
2019082685.tif 000009
【図７】
2019082685.tif 000010